(57)【特許請求の範囲】
【請求項１】
主にクラフト紙からなる筒状体の直線切り一端を閉鎖して紙袋とする際の底部閉鎖部又は紙袋の直線切り口部端を閉鎖する際の口部閉鎖部に適用される端部封緘構造であって、
前記筒状体の幅よりも長い当て紙を一方の壁面に、その一部を前記端縁から長手方向に飛び出させて糊代部を形成するように接着すると共にこの当て紙の両端部を前記筒状体の両側部からそれぞれ突出させ、この突出片を前記一端が扁平とされた前記筒状体の他方の壁面に折り返して扁平な前記筒状体の幅方向側部を包むと共に前記当て紙の前記糊代部と前記筒状体の端部とに接着し、前記筒状体の端部を他方の前記壁面側に前記当て紙と共に折り返して前記当て紙の前記糊代部及び前記突出片を他方の前記壁面に接着して構成されることを特徴とする紙袋の端部封緘構造。
【請求項２】
主にクラフト紙からなる筒状体の直線切り一端を閉鎖して紙袋とする際の底部閉鎖部又は紙袋の直線切り口部端を閉鎖する際の口部閉鎖部に適用される端部封緘構造形成方法であって、
前記筒状体の幅よりも長い当て紙を一方の壁面に、その一部を前記端縁から長手方向に飛び出させて糊代部を形成するように接着すること、
その時、同時にこの当て紙の両端部を前記筒状体の両側部からそれぞれ突出させること、
次いで、この突出片を前記端部が扁平とされた前記筒状体の他方の壁面に折り返して扁平な前記筒状体の幅方向側部を包み、前記当て紙の前記糊代部と前記筒状体の端部とに接着すること、
その後、前記当て紙の前記糊代部に接着剤を塗布するか或いは接着可能な状態にして、前記筒状体の一端を他方の前記壁面側に前記当て紙と共に折り返して前記当て紙の前記糊代部及び前記突出片を他方の前記壁面に接着すること、から構成されることを特徴とする紙袋の端部封緘構造形成方法。
【請求項３】
一端が請求項１に記載された端部封緘構造で形成された底部閉鎖部とされ、他端が口部として開放していることを特徴とする、端部封緘構造を備える紙袋。
【請求項４】
他端の口部端においてその端縁から長手方向外方に一部を飛び出させて糊代部とするようにして前記両壁面のいずれか一方に接着され、且つ両端に前記筒状体の両側部から突出した突出片を備えた当て紙と、前記当て紙の前記糊代部とこの糊代部の面に連接する前記突出片表面に塗布された接着剤と、扁平にされた前記筒状体の前記口部端の他方の前記壁面に前記各突出片を折り返して前記筒状体の幅方向各側部を包み込む時、前記当て紙の前記糊代部に重なる部分の裏面に塗布された接着剤とを備えて構成され、
前記口部端から内容物を充填した後、前記当て紙の前記各突出片を扁平な前記筒状体の幅方向側部を包むように折り返すと共に前記当て紙の前記糊代部と前記筒状体の口部端とに接着し、前記筒状体の口部端を前記当て紙と共に折り返して前記当て紙の前記糊代部及び前記突出片を前記壁面に接着して口部端に端部封緘構造を形成するように構成されていることを特徴とする請求項３に記載の端部封緘構造を備える紙袋。
【請求項５】
筒状体の一端が少なくとも２回折り曲げられ、その折曲げ部を開封テープ付当て紙で包囲固定してなる開封可能な底部閉鎖部を備え、前記筒状体の直線切り他端における口部端についてその端縁から長手方向外方に一部を飛び出させて糊代部とするようにして他方の前記壁面に接着され、且つ両端に前記筒状体の両側部から突出した突出片を備えた当て紙と、前記当て紙の前記糊代部とこの糊代部の面に連接する前記突出片表面に塗布された接着剤と、扁平とされた前記筒状体の前記口部端の前記壁面に前記各突出片を折り返して扁平な前記筒状体の幅方向各側部を包み込む時、前記当て紙の前記糊代部に重なる部分の裏面に塗布された接着剤とを備えて構成され、
前記口部端から内容物を充填した後、前記当て紙の前記各突出片を扁平な前記筒状体の幅方向側部を包むように折り返すと共に前記当て紙の前記糊代部と前記筒状体の口部端とに接着し、前記筒状体の口部端を前記当て紙と共に折り返して前記当て紙の前記糊代部及び前記突出片を前記壁面に接着して端部封緘構造とするように構成されていることを特徴とする端部封緘構造を備える紙袋。
【請求項６】
前記当て紙の前記糊代部とこの糊代部の面に連続する前記突出片表面に塗布された接着剤がホットメルト系の接着剤であり、また前記当て紙の前記糊代部に重なる前記突出片の対応裏面に塗布された接着剤もホットメルト系の接着剤であることを特徴とする請求項４又は５に記載の端部封緘構造を備える紙袋。
【請求項７】
前記当て紙の前記糊代部とこの糊代部の面に連続する前記突出片表面に塗布された接着剤に使用時まで離型紙が貼り付けられ、また前記当て紙の前記糊代部に重なる前記突出片の対応裏面に塗布された接着剤にも使用時まで離型紙が貼り付けられていることを特徴とする請求項４又は５に記載の端部封緘構造を備える紙袋。
【請求項８】
前記筒状体が両側部に扁平時の断面形状として横Ｖ形に折り込まれるひだを備えていることを特徴とする請求項３〜７のいずれかに記載の端部封緘構造を備える紙袋。
【請求項９】
請求項８に記載の端部封緘構造を備える紙袋において、前記筒状体の両側部からそれぞれ突出させた前記突出片を側方に折り返して前記一端が扁平とされた前記筒状体のひだ部の片側半分を包むと共に前記当て紙の前記糊代部と前記筒状体の端部とに接着し、前記筒状体の端部を他方の前記壁面側に前記当て紙と共に折り返して前記当て紙の前記糊代部及び前記突出片を他方の前記壁面に接着して構成されることを特徴とする端部封緘構造を備える紙袋。
【発明の詳細な説明】
【０００１】
【発明の属する技術分野】
この発明は紙袋の端部封緘構造及びその形成方法、並びにこの端部封緘構造を備える紙袋に関し、更に詳細には例えば粉体などを収容した場合でも漏れの全く起こらない簡単な構造の端部封緘構造及びこの形成方法、更にはこの端部封緘構造を備える紙袋に関する。
【０００２】
【従来の技術】
一般に、主にクラフト紙からなる紙袋としては、大きく分けて、両側部にひだが付いた紙袋（ひだ付き紙袋）とひだの付かない紙袋（ひだ無し紙袋）とがあり、これらのひだ付き紙袋とひだ無し紙袋とには、更に、それぞれ両端部が階段切りされた筒状体の一端を閉鎖して構成された紙袋、及び両端が直線切りされた筒状体の一端を閉鎖して構成された紙袋とがあることは既によく知られている。
【０００３】
ひだ付き又はひだ無しの両タイプの紙袋において、両端が階段切りされた筒状体を基本構成要素として使用する紙袋では、一般的に、底部側となる筒状体端部の階段面を閉鎖用フラップとして、その階段面に主に樹脂系の接着剤、例えばホットメルト系接着剤を塗布し、このフラップを開口端部の一部と共に折り返して対向する壁面に接着することで厳重に閉鎖して底部閉鎖部とした紙袋本体から構成されている。
【０００４】
そして、この紙袋本体の口部側となる端部階段面は、内容物充填後の閉鎖用フラップとされ、その階段面にはホットメルト系の接着剤が塗布されて乾燥固化されており、内容物が充填された後に口部の閉鎖用フラップに熱風を吹き付けてホットメルト系接着剤を再活性し、当該閉鎖用フラップを口部端の一部と共に折り返して対向する壁面に接着することで封緘されていた。
【０００５】
他方、両端が直線切りされた筒状体を基本構成要素として使用した紙袋の場合には、充填する内容物によって封緘構造を異にしている。すなわち、この紙袋の使用目的が小麦粉のような粉体を収容するものである場合には、底部となる端部を少なくとも２回巻き込むように折り曲げ、この折曲げ部を跨ぐように当て紙を配置して当該折曲げ部を包囲し、当て紙を折曲げ部に接着すると共にその両端部（筒状体の長手方向側に位置する端部）を壁面にも接着剤で接着することで底部閉鎖部とした紙袋本体から構成されている。
【０００６】
内容物が小麦粉などのような粉体の場合に端部を少なくとも２回巻き込むように折り曲げて底部閉鎖部を形成する理由は、粉体が紙袋における開口両側部の僅かな隙間を介して開口方向に回り込み易く、そのため漏れが起こりやすいことからこれを防止するためである。このような紙袋において、内容物が充填される口部側の構造も、漏れを防止する意味で、前述した底部閉鎖部の構造とほぼ同じ封緘構造（２回折り曲げ構造）となるように構成されている。
【０００７】
すなわち、口部側では、一方の壁面に紙片を予め貼り付けて当て紙として存在させておく。つまり、紙袋本体の幅と同じ幅の紙片の一端を、口部端を２回折りできるような長さ分を見込んで、それより長手方向中央寄り位置における一方の壁面に貼り付けておく。この時、この紙片の長さとしては、紙袋本体の口部端を２回折りして得られる折曲げ部を覆って包囲し、他端を他方の壁面に接着できる程度とされる。
【０００８】
このようにして当て紙として機能する紙片が取り付けられると、この紙片における封緘時の接着予定面には両面接着テープが貼り付けられる。両面接着テープの接着面には離型紙が貼り付けられているため、紙片の接着予定面が封緘時まで紙袋本体の口部端における壁面と重なっても相互に貼り付くことはない。
【０００９】
紙片の接着予定面に設けられている両面接着テープの離型紙は、内容物を充填して口部を封緘する時に、紙袋本体の口部端を２回折りして折曲げ部を形成した時点ではっきりと露出するので、その時に剥がし、折曲げ部を覆うように当該紙片を折り曲げて包囲すると共にその接着予定面を折曲げ部及び対向する他方の壁面に接着して口部を封緘する。
【００１０】
他方、充填する内容物が、穀物や樹脂ペレットのような比較的に大きな粒状物である場合には、内容物の回り込みがあまりないため、底部となる端部は１回だけ折り曲げ、その後は前述したように当て紙で包囲固定して底部閉鎖部としている。そして、この紙袋に内容物を充填した後に封緘される口部の構造も、基本的には前述した底部閉鎖部と同じになるように構成されている。
【００１１】
すなわち、一方の壁面に紙片を予め貼り付けておき、これを閉鎖用フラップとする。つまり、紙袋本体の幅と同じ幅の紙片を一方の壁面に重ねて接着しておく。この場合、穀物や樹脂ペレットのような粒状物を内容物とする紙袋では、口部端を１回折り曲げて封緘する方式であるため、紙片の長さのほぼ半分が口部端縁からその長手方向外方に飛び出すように紙袋本体の一方の壁面に重ねて接着しておく。
【００１２】
これにより、紙片の一部が紙袋本体の口部端縁から飛び出した部分が閉鎖用フラップとして作用する。具体的には、内容物を充填した後に、口部端を扁平状態にして閉鎖用フラップを口部端と共に折り曲げ、閉鎖用フラップの表面に塗布されているホットメルト系の接着剤に熱風を当てて再活性させ、次いで紙袋の口部端縁より若干長手方向中央寄り位置で閉鎖用フラップを口部端と共に折り曲げて対向する他方の壁面に接着することで口部の封緘がなされる。
【００１３】
このように、この種の紙袋では、一般的には、底部閉鎖部の構造と口部の閉鎖構造と同じようになるように設計されている。しかし、最近では、内容物が充填された紙袋を開封する時の利便を考えて、底部閉鎖部を開封容易な構造にした紙袋もあり、このような紙袋については内容物を充填した後の口部についてだけ前述した封緘構造とする例もある。このような開封容易な底部閉鎖部の構造を具体的に説明すると、以下の通りである。
【００１４】
すなわち、開封容易な底部閉鎖部は、両端直線切りの筒状体における底部とする端部を少なくとも２回巻き込むように折り曲げ、この折曲げ部を跨ぐように、内面に開封テープが貼着された当て紙を配置し、その両端部を壁面に接着剤で接着して構成されている。この時、折曲げ部は当て紙と何らの接着状態にはなく、これを包囲している当て紙の内側でフリーな状態とされている。
【００１５】
他方、口部側では、前述したように内容物として粉体を扱う紙袋については口部端を２回折り曲げてこれを当て紙で固定するような構造となるように設計され、また粒状物を内容物として扱う紙袋については口部端を１回折り曲げてこれを当て紙で固定するような構造となるように設計されているのである。
【００１６】
【発明が解決しようとする課題】
このように、端部が直線切りとされた筒状体から形成された紙袋の場合、内容物として小麦粉のような粉体を入れた場合に、閉鎖端部の両側開口隙間からの漏れを確実に防止する理由から、端部を少なくとも２回折り曲げ、この折曲げ部を覆うように当て紙を貼り付けて封緘していた。
【００１７】
そのため、粉体を入れる紙袋の基本構成要素となる筒状体は、その全長が長く設計され且つ製造され、粒状物などを入れる紙袋用の筒状体とは区別して形成されていた。そのため、粉体を入れるための紙袋では、基本構成要素となる筒状体の全長を長く形成することから使用紙量が多くなり、製造コストが高くなるばかりではなく資源の無駄でもあった。
【００１８】
しかも、粉体用の紙袋と粒状物用の紙袋との２種類を製造することから、生産ラインの増加、在庫管理の煩雑さ、生産性の低下等、多くの問題が生じていた。そのため、使用紙量の少ない粒状物充填用の紙袋即ち基本構成要素となる筒状体の端部を１回折り、この折曲げ部を当て紙で覆って封緘した紙袋に粉体のような内容物を入れても漏れが起こらず且つ構造の簡単な新規な紙袋の開発が望まれていた。
【００１９】
この発明の目的は、かかる従来の問題を解決するためになされたもので、端部を１回折り曲げて、その折曲げ部を当て紙で覆って封緘した紙袋に粉体のような内容物を充填しても漏れの生じない端部封緘構造及びその形成方法を提供することにあり、更にはこの端部封緘構造を備える紙袋を提供することにある。
【００２０】
【課題を解決するための手段】
この発明は、主にクラフト紙からなる筒状体の直線切り一端を閉鎖して紙袋とする際の底部閉鎖部又は紙袋の直線切り口部端を閉鎖する際の口部閉鎖部に適用される端部封緘構造であって、筒状体の幅よりも長い当て紙を一方の壁面に、その一部を端縁から長手方向に飛び出させて糊代部を形成するように接着すると共にこの当て紙の両端部を筒状体の両側部からそれぞれ突出させ、この突出片を一端が扁平とされた筒状体の他方の壁面に折り返して扁平な筒状体の幅方向側部を包むと共に当て紙の糊代部と筒状体の端部とに接着し、筒状体の端部を他方の壁面側に当て紙と共に折り返して当て紙の糊代部及び突出片を他方の壁面に接着して構成されることを特徴とする。
【００２１】
また、この発明は、主にクラフト紙からなる筒状体の直線切り一端を閉鎖して紙袋とする際の底部閉鎖部又は紙袋の直線切り口部端を閉鎖する際の口部閉鎖部に適用される端部封緘構造形成方法であって、筒状体の幅よりも長い当て紙を一方の壁面に、その一部を端縁から長手方向に飛び出させて糊代部を形成するように接着すること、その時、同時にこの当て紙の両端部を筒状体の両側部からそれぞれ突出させること、次いで、この突出片を端部が扁平とされた筒状体の他方の壁面に折り返して扁平な筒状体の幅方向側部を包み、当て紙の糊代部と筒状体の端部とに接着すること、その後、当て紙の糊代部に接着剤を塗布するか或いは接着可能な状態にして、筒状体の一端を他方の壁面側に当て紙と共に折り返して当て紙の糊代部及び突出片を他方の壁面に接着することから構成されることを特徴とする。
【００２２】
更に、この発明は、一端が前述した構成の端部封緘構造で形成された底部閉鎖部とされ、他端が口部として開放していることを特徴とする、端部封緘構造を備える紙袋でもある。更にまた、この端部封緘構造を備える紙袋では、他端の口部端においてその端縁から長手方向外方に一部を飛び出させて糊代部とするようにして両壁面のいずれか一方に接着され、且つ両端に筒状体の両側部から突出した突出片を備えた当て紙と、当て紙の糊代部とこの糊代部の面に連接する突出片表面に塗布された接着剤と、扁平にされた筒状体の口部端の他方の壁面に各突出片を折り返して筒状体の幅方向各側部を包み込む時、当て紙の糊代部に重なる部分の裏面に塗布された接着剤とを備えて構成され、口部端から内容物を充填した後、当て紙の各突出片を扁平な筒状体の幅方向側部を包むように折り返すと共に当て紙の糊代部と筒状体の口部端とに接着し、筒状体の口部端を当て紙と共に折り返して当て紙の糊代部及び突出片を壁面に接着して口部端に端部封緘構造を形成するように構成されていることを特徴とする。
【００２３】
また、この発明における端部封緘構造を備える紙袋では、筒状体の一端が少なくとも２回折り曲げられ、その折曲げ部を開封テープ付当て紙で包囲固定してなる開封可能な底部閉鎖部を備え、筒状体の直線切り他端における口部端についてその端縁から長手方向外方に一部を飛び出させて糊代部とするようにして他方の壁面に接着され、且つ両端に筒状体の両側部から突出した突出片を備えた当て紙と、当て紙の糊代部とこの糊代部の面に連接する突出片表面に塗布された接着剤と、扁平とされた筒状体の口部端の壁面に各突出片を折り返して扁平な筒状体の幅方向各側部を包み込む時、当て紙の糊代部に重なる部分の裏面に塗布された接着剤とを備えて構成され、口部端から内容物を充填した後、当て紙の各突出片を扁平な筒状体の幅方向側部を包むように折り返すと共に当て紙の糊代部と筒状体の口部端とに接着し、筒状体の口部端を当て紙と共に折り返して当て紙の糊代部及び突出片を壁面に接着して端部封緘構造とするように構成されていることを特徴とする。
【００２４】
また、この発明における端部封緘構造を備える紙袋では、当て紙の糊代部とこの糊代部の面に連続する突出片表面に塗布された接着剤がホットメルト系の接着剤であり、また当て紙の糊代部に重なる突出片の対応裏面に塗布された接着剤もホットメルト系の接着剤であることを特徴とする。
【００２５】
更に、この発明における端部封緘部を備える紙袋では、当て紙の糊代部とこの糊代部の面に連続する突出片表面に塗布された接着剤に使用時まで離型紙が貼り付けられ、また当て紙の糊代部に重なる突出片の対応裏面に塗布された接着剤にも使用時まで離型紙が貼り付けられていることを特徴とする。なお、この発明に係る端部封緘構造を備える紙袋では、筒状体が両側部に扁平時の断面形状として横Ｖ形に折り込まれるひだを備えている、所謂ひだ付きの紙袋に好ましく適用することができる。
【００２６】
このような端部封緘部を備えるひだ付きの紙袋の場合には、筒状体の両側部からそれぞれ突出させた突出片を側方に折り返して端部が扁平とされた筒状体のひだ部の片側半分を包むと共に当て紙の糊代部と筒状体の端部とに接着し、筒状体の端部を他方の壁面側に前記当て紙と共に折り返して当て紙の糊代部及び突出片を他方の壁面に接着して構成することもできる。
【００２７】
【発明の実施の形態】
次に、この発明に係る端部封緘構造を備える紙袋を図に示される好適な実施形態について更に詳細に説明する。図１はこの発明の一実施形態に係るひだ付き紙袋１０を示しており、図２は図１の２−２線に沿ってひだ付き紙袋１０を切断してその縦断面構造を模式的に示す構成説明図であり、更に図３〜図７は本実施形態のひだ付き紙袋１０の形成手順を示す部分的な構成説明図である。
【００２８】
この実施形態に係るひだ付き紙袋１０の基本構成要素としては、従来と実質的に同様な、主にクラフト紙から形成され且つ両側部にひだ１１を備える両端直線切りの筒状体１２が用いられる。この実施形態に係るひだ付き紙袋１０は、この筒状体１２の一端を閉鎖して底部閉鎖部１３を形成することにより構成された紙袋本体１４を含む。
【００２９】
この底部閉鎖部１３は、この発明の端部封緘構造によって形成されている。すなわち、底部閉鎖部１３の構造をその形成手順に従って説明すると、最初に、図３に示されるように扁平に折り畳まれた筒状体１２の幅よりも長い当て紙１５を一方の壁面１２ａに、その一部を端縁１２ｃから長手方向外側に飛び出させて糊代部１５ａを形成するように接着剤１６で接着すると共にこの当て紙１５の両端部を筒状体１１の両側部からそれぞれ突出させる。
【００３０】
この時の筒状体１２における端部を長手方向端部側から見た状態が図４である。すなわち、図４は図３の下方側から見た端面図である。次に、図５に示されるように、筒状体１１の両側部からそれぞれ突出させた当て紙１５の各突出片１５ｂを、端部が扁平とされた筒状体１２の他方の壁面１２ｂに折り返して扁平な筒状体１２の幅方向側部を包むと共に、折り返された突出片１５ｂが重なる当て紙１５の糊代部１５ａと筒状体１２の端部における壁面１２ｂに接着する。
【００３１】
この結果、筒状体１２の端部における両側部において、図４に示されるように扁平状態で長手方向から見た時にほぼ横Ｍ字形をした幅方向最も側方に位置する開口隙間１７即ち壁面１２ａ、１２ｂと折り込まれたひだ１１の片側半分との山折り部内側口部は、当て紙１５の突出片１５ｂを側方から巻き込んだことによってサンドイッチ状に挟み込まれると共に開口隙間１７の直上を当て紙１５の糊代部１５ａとこれに重なる突出片１５ｂとの相互接着によって完全に閉じられることになる。
【００３２】
その後、折り返され且つ筒状体１２の端部と当て紙１５の糊代部１５ａとに重合接着された突出片１５ｂにおいて、図５から明らかなように当て紙１５の糊代部１５ａに重なった領域をそのまま新たな糊代部１５ａとするため、当て紙１５の糊代部１５ａと連続する表面領域に接着剤１６を塗布する。
【００３３】
そして、最後に、この筒状体１２の端縁１２ｃよりも若干長手方向中央よりの位置を通る折曲げ線１８によって筒状体１２の僅かな端部と共に当て紙１５の糊代部１５ａを他方の壁面１２ｂ側に折り返して当て紙の糊代部１５ａ及び突出片１５ｂを他方の壁面に接着する。これにより、図１に示される底部閉鎖部１３が形成され、この時の状態が紙袋本体１４である。
【００３４】
他方、紙袋本体１４の口部側には、内容物が充填された後に、前述した底部閉鎖部１３とまったく同じ端部封緘構造により封緘できるように予め封緘用の部品が取り付けられて準備されている。すなわち、図１に示されるように、筒状体１２の直線切り他端における口部端には、当て紙１５が筒状体１２の端縁１２ｃから長手方向外方にその一部を飛び出させて糊代部１５ａとし且つ両端を筒状体１２の両側部から突出させて突出片１５ｂとするように壁面１２ａに接着剤１９により接着されている。
【００３５】
当て紙１５の糊代部１５ａとこの糊代部１５の面に連接する突出片１５ｂの表面にはホットメルト系の接着剤１９が塗布され、同時に、図６に示されるように当て紙１５の突出片１５ｂにおける図１で見て裏面側の少なくともほぼ上部半分の表面にもホットメルト系の接着剤１９が塗布されている。このように紙袋本体１４の口部端に、内容物が充填された後に底部閉鎖部１３とまったく同じ端部封緘構造により口部端を封緘できるように当て紙１５が所定の状態で取り付けられることで、ひだ付き紙袋１０が形成される。
【００３６】
このように構成されたひだ付き紙袋１０において、その口部端から内容物を充填した後に当該口部端を封緘する手順は次の通りである。すなわち、当て紙１５に塗布されているホットメルト系接着剤に熱風を吹き付けて再活性させると共に、図５に示される状態と同様に当て紙１５の各突出片１５ｂを扁平にした口部端の幅方向側部を包むように折り返えして当て紙１５の糊代部１５ａと口部端壁面とに重ねて接着する。
【００３７】
この結果、底部閉鎖部１３の形成の際に説明したように、ひだ付き紙袋１０の口部端における両側部において、図４に示されているように扁平状態で長手方向から見た時にほぼ横Ｍ字形をした幅方向最も側方に位置する開口隙間１７即ち壁面１２ａ、１２ｂと折り込まれたひだ１１の片側半分との山折り部内側口部は、当て紙１５の突出片１５ｂを側方から巻き込んだことによってサンドイッチ状に挟み込まれると共に開口隙間１７の直上を当て紙１５の糊代部１５ａとこれに重なる突出片１５ｂとの相互接着によって完全に閉じられることになる。
【００３８】
その後、ひだ付き紙袋１０の口部端と当て紙１５の糊代部１５ａとに重合接着された折り返し突出片１５ｂは、図１で見て裏面であった面が正面側に出てくるため、その面が当て紙１５の糊代部１５ａと連続して新たな糊代部１５ａとなり、しかもこの面にはホットメルト系接着剤１９が予め塗布されているため、この段階で接着剤の塗布を行う必要はない。
【００３９】
そして、最後に、このひだ付き紙袋１０の口部端における端縁１２ｃよりも若干長手方向中央よりの位置を通る折曲げ線２０によってひだ付き紙袋１０の僅かな端部と共に当て紙１５の糊代部１５ａを他方の壁面１２ｂ側に折り返して当て紙の糊代部１５ａ及び突出片１５ｂを他方の壁面に接着する。これにより、ひだ付き紙袋１０の口部端が封緘される。
【００４０】
ところで、図７及び図８は、ひだ付き紙袋１０を転倒して底部閉鎖部１３を上向きにして示す斜視図であるが、これらの図７及び図８から明らかなようにひだ付き紙袋１０に内容物が充填されると、矢印２１で示されるように次第に膨張し、横断面横Ｖ字状であったひだ１１が開いて角形となるが、この時に図７に示されるようにひだ１１を扁平状態に押さえている当て紙１５の縁から強い引裂き力が働く。
【００４１】
この引裂き力によって当て紙１５における突出片１５ｂの山折り部は、破れ（引裂き開始部を符号２２で示す）、図８に示されるようなひだ付き紙袋１０の最終的な角形への成形が何の問題もなく行われる。当て紙１５における突出片１５ｂの山折り部が破れる範囲（長さ）は、図５の状態で示すと当て紙１５の縁１５ｃから端部折り返し線１８迄の間の範囲２３である。そのため、折り返された端部におけるほぼ横Ｍ字形をした幅方向最も側方に位置する開口隙間（口部端で説明した符号１７で示す開口隙間に相当）を塞いでいる当て紙１５の折り返し部には何の影響も起こらない。
【００４２】
このように、この実施形態に係るひだ付き紙袋１０では、底部閉鎖部又は口部端に封緘部を形成する際に、紙袋本体１４の端部開口における両側部の横断面ほぼ横Ｍ字形の幅方向最も側方に位置する開口隙間１７を当て紙１５の突出片１５ｂで側方から巻き込んで完全に閉鎖することにより、従来のこの種の紙袋で生じていた、前述の開口隙間１７からの粉体の漏れを完全に防止することができる。
【００４３】
なお、前述した実施形態のひだ付き紙袋１０では、底部閉鎖部１３が本発明の端部封緘構造で構成されたものであったが、本発明に係る端部封緘構造を備える紙袋は、このような態様のみに限定されるものではない。例えば、底部閉鎖部１３を、従来の開封容易な閉鎖構造とすることも好ましい。すなわち、図９及び図１０に示されるように、この発明に係る端部封緘構造を備える紙袋１０では、底部閉鎖部１３が、底部端を巻き込むように２回折り曲げて折曲げ部２４を形成し、この折曲げ部２４を跨ぐように開封テープ２６の付いた当て紙２５で包囲し、両端を接着剤２７でそれぞれの壁面１２ａ、１２ｂに接着して形成されているものでもよい。
【００４４】
また、このひだ付き紙袋１０では、前述したように当該紙袋に内容物が充填された時、この発明の端部封緘構造で閉鎖された閉鎖部において当て紙１５の突出片１５ｂの巻き込みによりひだ１１を扁平状態に押さえている当て紙１５の突出片折り返し部が膨張によって縁１５ｃから強い引裂き力が働く時、例えば繊維配向等に工夫をする等して容易に切れる程度の性質を備えたものとすることも好ましい。
【００４５】
更に、前述した実施形態に係るひだ付き紙袋１０では、口部端封緘用として紙袋本体壁面に貼り付けた当て紙１５の糊代部１５ａと突出片１５ｂの表面、並びにこの突出片１５ｂの裏面側ほぼ上半分表面にホットメルト系の接着剤１９を予め塗布し、これを乾燥固化させた例について説明したが、この発明ではこのような例に限定されるものではない。
【００４６】
すなわち、当て紙１５の所定表面に塗布した接着剤１９を、両面接着テープを用いて形成してもよい。両面接着テープを、当て紙１５の前述した接着剤塗布面に貼り付けると、塗布された接着剤の表面は離型紙で覆われているため、内容物充填の際に不用意に他の部分に接着したりすることがなく、内容物充填後の口部端封緘時に当て紙１５の表面から離型紙を除去すれば、すぐに接着可能な状態となる。
【００４７】
前述した実施形態の吹込口弁付紙袋１０では、底部端、底部端と口部端の両方を封緘する際に、当て紙１５の突出片１５ｂを図４及び図５に示されるように扁平な端部の幅方向他側部即ちひだ１１の全部（厚み方向の全部）を包み込むように折り返えし、端部と当て紙１５の糊代部１５ａとに重ねて接着したが、本発明はこのような形態に限定されるものではない。
【００４８】
例えば、筒状体１２を逆さまにして底部を上に向けた状態で見た図１１に示されるように、端部を封緘する際に、当て紙１５の突出片１５ｂをひだ１１の片側半分、即ち壁面１２ａと中折りされたひだ１１の片側半分との山折り部端部口のみを包み込むように側方に折り返してもよい。要するには、当て紙１５の突出片１５ｂを側方に折り返す時、紙袋本体１４の壁面１２ｂに重ねるように折り返すのではなく、断面Ｖ字状に折り込まれたひだ１１のその中折り部に入り込ませるように側方に折り返すのである。
【００４９】
このように当て紙１５の突出片１５ｂでひだ１１の片側半分の山折り部端部口のみを側方から包み込むだけでもよい理由は、このような紙袋の場合、その構造上、壁面１２ａと中折りされたひだ１１の片側半分との山折り部端部口へ内容物が最も回り込み易いからである。すなわち、壁面１２ｂとこれに連接する中折りされたひだ１１の片側半分とは折曲げ線２０で壁面１２ｂ側にほぼ１８０度折り曲げられるため内容物の端部口への回り込みが起きにくく、逆に壁面１２ａとこれに連接する中折りされたひだ１１の片側半分とは内容物が充填されて紙袋が角形に膨張成型された時にほとんど折れ曲がっていない状態となるからである。
【００５０】
最後に、前述した実施形態は、両側部にひだの付いた紙袋を例として説明したが、この発明はこのようなひだ付き紙袋に限定されるものではなく、ひだの付かない紙袋についても同様に適用することができることは言うまでもない。
【００５１】
【発明の効果】
以上説明したように、この発明の端部封緘構造及びその形成方法、並びにこの端部封緘構造を備える紙袋によれば、紙袋本体の端部における両側方に位置する開口隙間を当て紙の突出片で側方から巻き込んで完全に閉鎖するようにして端部を１回折りして封緘部を形成するという非常に簡単な構成により、粉体を充填してもこの紙袋の荷扱い時に、開口隙間から内容物の漏れが起こることがなく、これにより端部を１回折りして封緘した１種類の紙袋で、あらゆる内容物の収納に対応することができる。
【図面の簡単な説明】
【図１】この発明の一実施形態に係るひだ付き紙袋を扁平状態にして示す平面図である。
【図２】図１に示されるひだ付き紙袋を２−２線で切断してその断面構造を模式的に示す構成説明図である。
【図３】図１に示される底部閉鎖部を備えるひだ付き紙袋を形成するため、底部となる端部に当て紙を貼り付けた状態を示す平面図である。
【図４】図３に示されるひだ付き紙袋形成前の底部側における一側部を長手方向から見た概略的な端面図である。
【図５】図１に示されるひだ付き紙袋の底部となる端部にこの発明の端部封緘構造の底部閉鎖部を形成する直前の状態を示す部分的な平面図である。
【図６】図１に示されるひだ付き紙袋の口部端を裏側から見た部分的な平面図である。
【図７】図１に示されるひだ付き紙袋の底部閉鎖部における両側のひだを扁平状態に押さえている当て紙の突出片の折り返し部がこのひだ付き紙袋に内容物を充填した時の膨張力により引き裂かれる状態を概略的に示すため、この底部閉鎖部を上向きにした状態で示す部分的な斜視図である。
【図８】図１に示されるひだ付き紙袋に内容物を充填することにより、底部閉鎖部における両側のひだを扁平状態に押さえている当て紙の突出片の折り返し部が引き裂かれて通常の角形に成型された状態を概略的に示すため、この底部閉鎖部を上向きにした状態で示す部分的な斜視図である。
【図９】この発明に係る端部封緘構造を備える紙袋の別な実施形態を示す図１と同様な平面図である。
【図１０】図９に示される実施形態のひだ付き紙袋を１０−１０線で切断してその断面構造を模式的に示す構成説明図である。
【図１１】この発明の他の実施形態に係るひだ付き紙袋であって、その端部を封緘する際に当て紙の突出片をひだの中折り部に入り込ませるように折り返してひだの片側半分の端部口を包むようにする状態を示す部分的な斜視図である。
【符号の説明】
１０  ひだ付き紙袋
１１  ひだ
１２  両端直線切りのひだ付き筒状体
１２ａ  一方の壁面
１２ｂ  他方の壁面
１２ｃ  筒状体端部の端縁
１３  底部閉鎖部
１４  紙袋本体
１５  当て紙
１５ａ  糊代部
１５ｂ  突出片
１５ｃ  当て紙の縁
１６  接着剤
１７  端部側方の開口隙間
１８  折曲げ線
１９  接着剤（ホットメルト系接着剤）
２０  折曲げ線
２１  膨張方向を示す矢印
２２  引裂き開始部
２３  引裂き範囲
【図１】
0003897234.tif 000002
【図２】
0003897234.tif 000003
【図３】
0003897234.tif 000004
【図４】
0003897234.tif 000005
【図５】
0003897234.tif 000006
【図６】
0003897234.tif 000007
【図７】
0003897234.tif 000008
【図８】
0003897234.tif 000009
【図９】
0003897234.tif 000010
【図１０】
0003897234.tif 000011
【図１１】
0003897234.tif 000012